(57)【特許請求の範囲】
【請求項１】
分析対象である血液サンプルの凝固時間を決定する方法であって、
分析対象である前記血液サンプル（３３）を入れる反応キュベット（２）を用意する工程であって、前記反応キュベット（２）は、上向きに凹である、凹状軌道（９）を規定する底部（８）を有する、工程と、
前記反応キュベット（２）の前記軌道（９）上に強磁性ボール（１１）を配置する工程と、
前記強磁性ボール（１１）に磁界を印加することにより、前記強磁性ボールを前記軌道（９）に沿って揺動運動により変位させる工程と、
前記分析対象である前記血液サンプルに入射光ビーム（３６）を照射する工程であって、前記入射光ビーム（３６）は、前記強磁性ボールの前記軌道（９）に沿った前記揺動運動の少なくとも一部において前記強磁性ボール（１１）により少なくとも部分的に遮蔽されるように構成される、工程と、
前記反応キュベット（２）を透過し、前記入射光ビーム（３６）から生じた、少なくとも１つの光ビーム（３８）を検出することにより、計測信号（ＳＭ）を得る工程と、
前記計測信号（ＳＭ）に対して第１の処理を行うことにより、前記強磁性ボール（１１）の運動を表現する少なくとも１つの物理量の変化を表す第１の信号（Ｓ１）を得る工程と、
前記計測信号（ＳＭ）に対して第２の処理を行うことにより、前記分析対象である血液サンプルの少なくとも１つの光学特性の変化を表す第２の信号（Ｓ２）を得る工程と、
前記第１の信号に基づいて、前記分析対象である血液サンプルの凝固時間を表す第１の値（ｔ１）を決定する工程と、
前記第２の信号に基づいて、前記分析対象である血液サンプルの凝固時間を表す第２の値（ｔ２）を決定する工程と、
を有する、決定方法。
【請求項２】
前記計測信号（ＳＭ）に対する前記第１の処理は、前記得られた第１の信号（Ｓ１）が前記計測信号（ＳＭ）の上包絡線および下包絡線間の間隔に対応するように行われる、請求項１に記載の決定方法。
【請求項３】
前記分析対象である血液サンプルの凝固時間を表す前記第１の値（ｔ１）を決定する工程は、前記第１の信号（Ｓ１）のスライド平均に対応するベース信号を得る工程を有し、前記分析対象である血液サンプルの凝固時間を表す前記第１の値は、前記ベース信号に基づいて決定される、請求項１または２に記載の決定方法。
【請求項４】
前記計測信号（ＳＭ）に対する前記第２の処理は、前記得られた第２の信号（Ｓ２）が前記計測信号の上包絡線のスライド平均に対応するように実行される、請求項１〜３のいずれか１つに記載の決定方法。
【請求項５】
前記分析対象である血液サンプルの凝固時間を表す前記第２の値（ｔ２）を決定する工程は、前記第２の信号（Ｓ２）の最大勾配を決定する工程を有しており、前記分析対象である血液サンプルの凝固時間を表す前記第２の値（ｔ２）は、該最大勾配に対応する時刻である、請求項４に記載の決定方法。
【請求項６】
前記凝固時間を表す前記決定された第１および第２の値（ｔ１、ｔ２）同士を比較する工程をさらに有する、請求項１〜５のいずれか１つに記載の決定方法。
【請求項７】
前記計測信号の初期値に依存して、前記入射光ビーム（３６）の光強度を調整する工程をさらに有する、請求項１〜６のいずれか１つに記載の決定方法。
【請求項８】
前記決定方法の初期段階において、前記強磁性ボール（１１）に印加される磁界を表す少なくとも１つのパラメータを、前記計測信号（ＳＭ）の初期値に依存して調整する工程をさらに有する、請求項１〜７のいずれか１つに記載の決定方法。
【請求項９】
分析対象である血液サンプルの凝固時間を決定する装置（３１）であって、
前記分析対象である血液サンプル（３３）と、強磁性ボール（１１）と、を入れる反応キュベット（２）を収容するように構成された収容筐体（３２）であって、前記反応キュベット（２）は、上向きに凹であり、前記強磁性ボール（１１）が配置される、凹状軌道（９）を規定する、収容筐体（３２）と、
前記反応キュベット（２）が前記収容筐体内に収容される時に、前記強磁性ボール（１１）を前記軌道（９）に沿って揺動運動により変位させることが可能な、磁界を発生するように構成された、磁界発生システム（３４）と、
前記反応キュベット（２）が前記収容筐体（３２）内に収容される時に、分析対象である血液サンプル（３３）の方向に入射光ビーム（３６）を出射するように構成された発光部材（３５）であって、前記入射光ビーム（３６）は前記軌道（９）に沿った前記強磁性ボールの前記運動の少なくとも一部において、前記強磁性ボール（１１）により少なくとも部分的に遮蔽されるように構成される、発光部材（３５）と、
前記反応キュベット（２）を透過し、前記入射光ビーム（３６）から生じた、少なくとも１つの光ビーム（３８）を検出することにより、計測信号（ＳＭ）を出力するように構成された検出部材（３７）と、
処理ユニット（３９）であって、
前記計測信号（ＳＭ）に対して第１の処理を行うことにより、前記強磁性ボール（１１）の運動を表現する少なくとも１つの物理量の変化を表す第１の信号（Ｓ１）を得、
前記計測信号（ＳＭ）に対して第２の処理を行うことにより、前記分析対象である血液サンプルの少なくとも１つの光学特性の変化を表す第２の信号（Ｓ２）を得、
前記第１の信号に基づいて、前記分析対象である血液サンプルの凝固時間を表す第１の値（ｔ１）を決定し、かつ
前記第２の信号に基づいて、前記分析対象である血液サンプルの凝固時間を表す第２の値（ｔ２）を決定する、処理ユニット（３９）と、
を備える、決定装置。
【請求項１０】
前記磁界発生システム（３４）は、前記軌道（９）の略延長方向に対して、横方向にずらして配置される、請求項９に記載の決定装置（３１）。
【請求項１１】
前記反応キュベット（２）が前記収容筐体（３２）内に収容され、前記強磁性ボール（１１）が前記軌道（９）の最低点に位置する時、前記強磁性ボール（１１）は、前記入射光ビーム（３６）を部分的に遮蔽するように構成される、請求項９または１０に記載の決定装置（３１）。
【請求項１２】
請求項１〜８のいずれか１つに記載の方法を実行するのに適した構成を有する反応キュベット（２）において、
分析対象である生物流体を入れるように構成された容器（３）であって、
上向きに凹である凹状軌道（９）を規定する底部（８）を有する下側部分（４）であって、前記軌道（９）はそのほぼ中央に最低点を有し、強磁性ボール（１１）の揺動運動を案内するように構成されている、下側部分（４）と、
挿入口（１４）を規定する上側部分（５）と、
前記反応キュベット（２）を第１の掛合方向（Ｄ１）において第１の隣接する反応キュベットに掛合させるように構成された、第１の掛合手段と、
前記反応キュベット（２）を、前記第１の掛合方向（Ｄ１）に対してほぼ直交する第２の掛合方向（Ｄ２）において第２の隣接する反応キュベットに掛合させるように構成された、第２の掛合手段と、を備える容器（３）を有し、
前記反応キュベット（２）は、前記軌道（９）の略延長方向に対して横方向に測定した前記容器（３）の前記下側部分（４）の幅が、前記軌道（９）の延長方向に対して横方向に測定した前記容器（３）の前記上側部分（５）の幅よりも小さく、前記軌道（９）は前記容器（３）の前記上側部分（５）の長手方向中央平面（Ｐ１）に対して横方向にずれていることを特徴とする、反応キュベット。
【発明の詳細な説明】
【技術分野】
【０００１】
本発明は、分析対象である血液サンプルの凝固時間を決定する方法および装置、ならびに反応キュベットに関する。
【背景技術】
【０００２】
欧州特許出願公開第０  ３２５  ８７４号明細書は、分析対象である血液サンプルの凝固時間を決定可能とする反応キュベットを開示している。この目的のため、反応キュベットは、その底部に上向きに凹である曲線状軌道を備えており、その軌道上には強磁性ボールが配置され得、軌道上で駆動により運動し得る。
【０００３】
欧州特許出願公開第０  ３２５  ８７４号明細書は、さらに、凝固時間を決定する方法も開示している。その方法は、
分析対象である上記血液サンプルを上記反応キュベット内に導入する工程と、
上記反応キュベットの上記軌道上に強磁性ボールを配置する工程と、
上記強磁性ボールに磁界を印加することにより、上記強磁性ボールを上記軌道に沿って揺動運動により変位させる工程と、
上記強磁性ボールが上記軌道の最低点にあるときに、上記強磁性ボールに対して実質的に接線をなすように構成された入射光ビームを上記分析対象である血液サンプルに照射する工程と、
上記反応キュベットを透過し、上記入射光ビームから生じた、少なくとも１つの光ビームを検出することにより、上記強磁性ボールの運動の振幅および／または周波数の変化を表す計測信号を得る工程と、
上記計測信号に基づいて、上記分析対象である血液サンプルの凝固時間を決定する工程と、
を有する。
【発明の概要】
【発明が解決しようとする課題】
【０００４】
しかしながら、上記強磁性ボールの運動の振幅および／または周波数の変化が、上記分析対象である血液サンプルの粘性増加が原因ではなく、むしろ上記血液サンプル中に気泡および／または不純物が存在することが原因で起こる場合、このような決定方法により決定された凝固時間は不正確であり、このような決定方法の信頼性を損なうものである。
【０００５】
本発明は、このような課題を解決することを目的とする。
【０００６】
具体的には、本発明が解決しようとする技術上の課題は、分析対象である血液サンプルの凝固時間を信頼性良く、かつ高いコスト効率で決定可能とする、血液サンプルの凝固時間を決定する方法および装置を提供することにある。
【課題を解決するための手段】
【０００７】
この目的を達成するために、本発明は分析対象である血液サンプルの凝固時間を決定する方法に関する。この方法は、
分析対象である上記血液サンプルを入れる反応キュベットを用意する工程であって、上記反応キュベットは、上向きに凹である、凹状軌道を規定する底部を有する、工程と、
上記反応キュベットの上記軌道上に強磁性ボールを配置する工程と、
上記強磁性ボールに磁界を印加することにより、上記強磁性ボールを上記軌道に沿って揺動運動により変位させる工程と、
上記分析対象である血液サンプルに入射光ビームを照射する工程であって、上記入射光ビームは、上記軌道に沿った上記揺動運動の少なくとも一部において、上記強磁性ボールにより少なくとも部分的に遮蔽されるように構成される、工程と、
上記反応キュベットを透過し、上記入射光ビームから生じた、少なくとも１つの光ビームを検出することにより、計測信号を得る工程と、
上記計測信号に対して第１の処理を行うことにより、上記強磁性ボールの運動を表現する少なくとも１つの物理量の変化を表す第１の信号を得る工程と、
上記計測信号に対して第２の処理を行うことにより、上記分析対象である血液サンプルの少なくとも１つの光学特性の変化を表す第２の信号を得る工程と、
上記第１の信号に基づいて、上記分析対象である血液サンプルの凝固時間を表す第１の値を決定する工程と、
上記第２の信号に基づいて、上記分析対象である血液サンプルの凝固時間を表す第２の値を決定する工程と、を有する。
【０００８】
この決定方法によれば、凝固時間を異なる２種類の方法により定量化することが可能になる。これにより、得られた結果の確保が可能となる。実際に、例えば分析対象である血液サンプル中に気泡や不純物が存在することが原因で、強磁性ボールの運動が予想よりも早期に停止した場合、決定された第１および第２の値を比較することにより、決定された２つの凝固時間値の差を特定することが可能になる。その場合、操作者は、強磁性ボールの停止による影響がより少ない、決定された第２の値のみを考慮に入れてもよいし、凝固時間の測定を正確かつ確実に行うために、試験をやり直してもよい。このように本発明による決定方法によれば、凝固時間のそれぞれ独立した２つの測定値を得ることが可能になり、その結果、凝固時間測定をより信頼性の高いものとすることもできる。
【０００９】
上記決定方法のある実施の形態によれば、上記得られた測定信号は、連続する信号を一定の間隔でサンプリングすることにより得られる。上記一定の間隔の長さは、１５ｍｓ未満であることが好ましく、例えば１０ｍｓ程度、または４ｍｓ程度である。
【００１０】
上記決定方法のある実施の形態によれば、上記計測信号に対する上記第１の処理は、上記得られた第１の信号が上記計測信号の上包絡線と下包絡線との間の間隔（deviation）に対応するように行われる。
【００１１】
本発明の別の実施の形態によれば、上記処理ユニットは、上記得られた第１の信号が、上記計測信号の上包絡線と下包絡線との間の間隔のスライド平均（sliding average）に対応するように構成され、より正確には、連続する計測時刻、またはサンプリング時刻、あるいは所定のスライド期間（sliding interval）に対応する、上記計測信号の上包絡線と下包絡線との間の間隔を表す、複数の値（例えば１２個の値）からなる所定の集合において、上記計測信号の上包絡線と下包絡線との間の間隔のスライド平均に対応するように構成される。好適には、ある与えられた測定時刻またはサンプリング時刻に対する上記第１の信号のそれぞれの値は、与えられた複数の測定時刻またはサンプリング時刻に先行する、連続する複数の測定時刻またはサンプリング時刻に対応する、測定信号ＳＭの上包絡線および下包絡線間の間隔を表す複数の値からなる所定の集合のスライド平均として決定される。好ましくは、ある与えられた測定時刻またはサンプリング時刻に対する上記第１の信号のそれぞれの値は、上記測定信号の上包絡線および下包絡線間の間隔を表す、複数の最近値のスライド平均として決定される。例えば、上記測定信号の上包絡線および下包絡線間の間隔を表す、１２個の最近値のスライド平均として決定される。
【００１２】
上記決定方法のある実施の形態によれば、上記測定信号の上包絡線は、上記測定信号の極大値同士を結ぶことにより決定され、上記測定信号の下包絡線は、上記測定信号の極小値同士を結ぶことにより決定される。
【００１３】
上記決定方法のある実施の形態によれば、上記強磁性ボールの運動を表現する上記少なくとも１つの物理量は上記強磁性ボールの運動の振幅および／または周波数である。
【００１４】
上記決定方法のある実施の形態によれば、上記分析対象である血液サンプルの凝固時間を表す上記第１の値を決定する工程は、上記第１の信号のスライド平均に対応するベース信号を得る工程を有する。上記第１の信号のスライド平均は、例えば所定のスライド期間において得られるか、または連続する複数の計測時刻あるいはサンプリング時刻に対応する、上記第１の信号の複数の値からなる集合から得られる。上記分析対象である血液サンプルの凝固時間を表す第１の値は、上記ベース信号に基づいて決定される。
【００１５】
上記決定方法のある実施の形態によれば、ある与えられた測定時刻またはサンプリング時刻に対する上記ベース信号のそれぞれの値は、ある時間間隔に含まれる連続する複数の測定時刻またはサンプリング時刻に対応する、上記第１の信号の複数の値からなる集合のスライド平均として決定される。ここで、上記ある時間間隔の始点および終点は、上記与えられた測定時刻またはサンプリング時刻に対して規定される。例えば、ある与えられた測定時刻またはサンプリング時刻に対する上記ベース信号のそれぞれの値は、上記与えられた測定時刻またはサンプリング時刻に先行する、ある時間間隔に含まれる複数の測定時刻またはサンプリング時刻に対応する、上記第１の信号の複数の値からなる集合のスライド平均として決定される。ここで、上記ある時間間隔は、好適には８〜１２秒間、例えば約１０秒間である。
【００１６】
上記決定方法の別の実施の形態によれば、ある与えられた測定時刻またはサンプリング時刻に対する上記ベース信号のそれぞれの値は、与えられた複数の測定時刻またはサンプリング時刻における上記第１の信号の値を含み、かつ上記与えられた複数の測定時刻またはサンプリング時刻に先行する複数の測定時刻またはサンプリング時刻に対応する上記第１の信号のすべての値を含む、複数の値からなる集合のスライド平均として決定される。
【００１７】
上記決定方法のある実施の形態によれば、上記分析対象である血液サンプルの凝固時間を表す上記第１の値を決定する工程は、上記第１の信号と上記ベース信号の所定の割合との間の交点を決定する工程を含む。上記分析対象である血液サンプルの凝固時間を表す上記第１の値は、上記決定された交点に対応する時間値である。
【００１８】
上記決定方法のある実施の形態によれば、上記ベース信号の上記所定の割合は、３０％から６０％の範囲内である。
【００１９】
上記決定方法のある実施の形態によれば、上記計測信号に対する上記第２の処理は、上記得られた第２の信号が上記計測信号の平均された上包絡線に対応するように行われる。
【００２０】
上記決定方法の別の実施の形態によれば、上記処理ユニットは、上記得られた第２の信号が、上記計測信号の上包絡線のスライド平均に対応するように構成され、より正確にいうと、連続する複数の計測時刻またはサンプリング時刻、あるいは所定のスライド期間に対応する、上包絡線の複数の値（例えば１２個の値）からなる所定の集合において、上記計測信号の上包絡線のスライド平均に対応するように構成される。好適には、ある与えられた測定時刻またはサンプリング時刻に対する上記第２の信号のそれぞれの値は、与えられた複数の測定時刻またはサンプリング時刻に先行する、連続する複数の測定時刻またはサンプリング時刻に対応する、上包絡線の複数の値からなる所定の集合のスライド平均として決定される。好ましくは、ある与えられた測定時刻またはサンプリング時刻に対する上記第２の信号のそれぞれの値は上包絡線の複数の最近値のスライド平均として決定される。例えば上包絡線の１２個の最近値のスライド平均として決定される。
【００２１】
上記決定方法のある実施の形態によれば、上記分析対象である血液サンプルの凝固時間を表す上記第２の値を決定する工程は、上記第２の信号の最大勾配を決定する工程を有しており、上記分析対象である血液サンプルの凝固時間を表す上記第２の値は、該最大勾配に対応する時刻である。
【００２２】
上記決定方法のある実施の形態によれば、この決定方法は、上記凝固時間を表す上記決定された第１および第２の値を互いに比較する工程を有する。
【００２３】
上記決定方法のある実施の形態によれば、この決定方法は、上記計測信号の初期値に依存して、上記入射光ビームの光強度を調整する工程をさらに有する。
【００２４】
上記決定方法のある実施の形態によれば、上記反応キュベットは、上記軌道がそのほぼ中央に最低点を有するように設けられる。
【００２５】
上記決定方法のある実施の形態によれば、上記測定信号の初期値は、上記軌道のほぼ最低点に位置する上記強磁性ボールの位置に対応する。
【００２６】
上記決定方法のある実施の形態によれば、上記決定方法は、上記決定方法の初期段階において、上記強磁性ボールに印加される磁界を表す少なくとも１つのパラメータを、上記計測信号の初期値に依存して調整する工程をさらに有する。
【００２７】
上記決定方法のある実施の形態によれば、上記強磁性ボールに印加される磁界を表す上記少なくとも１つのパラメータは、上記第１の信号の初期値に依存して調整される。
【００２８】
上記決定方法のある実施の形態によれば、上記磁界を表現する上記少なくとも１つのパラメータは、上記強磁性ボールに印加される磁界の周期および／または強度である。
【００２９】
上記決定方法のある実施の形態によれば、上記磁界の励起周波数は、上記強磁性ボールの揺動運動の固有振動数に近い。
【００３０】
上記決定方法のある実施の形態によれば、上記磁界は、上記軌道の略延長方向に対して横方向にずらして配置された磁界発生システムを用いて発生される。上記磁界発生システムをこのように配置することにより、上記発光部材を上記反応キュベットの底部近傍に縦方向に配置することが可能になり、これにより、上記入射光ビームと上記反応キュベットの底部とを隔てる距離を低減することが可能になる。またこの効果は、磁界発生システムの存在に乱されることもない。これにより、また、それぞれの試験を行う際に上記反応キュベット内に導入される試薬と血液サンプルの量を減らすことができるようになり、その結果、それぞれの試験に要するコストも削減可能となる。
【００３１】
上記決定方法のある実施の形態によれば、上記磁界発生システムは、上記軌道に対してほぼ平行に延びる上記反応キュベットの壁（例えば上記反応キュベットの長手方向の壁）に少なくとも部分的に面するように配置される。
【００３２】
上記決定方法のある実施の形態によれば、上記磁界発生システムは、上記軌道の端部近傍にそれぞれ配置された第１および第２の電磁石を備える。これら第１および第２の電磁石は、例えば、上記軌道の同じ側に配置される。
【００３３】
上記決定方法のある実施の形態によれば、上記磁界は、例えば上記電磁石のコイルに印加される電気パルスの間隔（deviations）および／または幅（length）を変化させることにより、調整され得る。
【００３４】
上記決定方法のある実施の形態によれば、上記決定装置は、上記反応キュベットが上記収容筐体に収容され、上記強磁性ボールが上記軌道の最低点に位置する時、上記強磁性ボールが上記入射光ビームを部分的に遮蔽するように構成される。
【００３５】
上記決定方法のある実施の形態によれば、上記透過された光ビームは、上記入射光ビームのほぼ軸上に位置する検出部材を用いて検出される。
【００３６】
上記決定方法のある実施の形態によれば、上記入射光ビームは、発光部材を用いて出射される。上記発光部材と上記検出部材とは、例えば、上記軌道のほぼ軸上に配置される。
【００３７】
本発明は、また、分析対象である血液サンプルの凝固時間を決定する装置にも関する。この決定装置は、
上記分析対象である血液サンプルと、強磁性ボールと、を含む反応キュベットを収容するように構成された収容筐体であって、上記反応キュベットは、上向きに凹であり、上記強磁性ボールが配置される、凹状軌道を規定する、収容筐体と、
上記反応キュベットが上記収容筐体内に収容される時に、上記強磁性ボールを上記軌道に沿って揺動運動により変位させることが可能な、磁界を発生するように構成された、磁界発生システムと、
上記反応キュベットが上記収容筐体内に収容される時に、上記分析対象である血液サンプルの方向に入射光ビームを出射するように構成された発光部材であって、上記入射光ビームは上記軌道に沿った上記強磁性ボールの上記運動の少なくとも一部において、上記強磁性ボールにより少なくとも部分的に遮蔽されるように構成される、発光部材と、
上記反応キュベットを透過し、上記入射光ビームから生じた、少なくとも１つの光ビームを検出することにより、計測信号を出力するように構成された検出部材と、
処理ユニットであって、
上記計測信号に対して第１の処理を行うことにより、上記強磁性ボールの運動を表現する少なくとも１つの物理量の変化を表す第１の信号を得、
上記計測信号に対して第２の処理を行うことにより、上記分析対象である血液サンプルの少なくとも１つの光学特性の変化を表す第２の信号を得、
上記第１の信号に基づいて、上記分析対象である血液サンプルの凝固時間を表す第１の値を決定し、
上記第２の信号に基づいて、上記分析対象である血液サンプルの凝固時間を表す第２の値を決定する処理ユニットと、
を備える。
【００３８】
上記決定装置のある実施の形態によれば、上記磁界発生システムは、上記軌道の略延長方向に対して横方向にずらして配置される。
【００３９】
本発明のある実施の形態によれば、上記検出部材は、上記入射光ビームのほぼ軸上に位置する。
【００４０】
本発明のある実施の形態によれば、上記軌道は、そのほぼ中央に最低点を有する。
【００４１】
上記決定装置のある実施の形態によれば、上記強磁性ボールおよび上記軌道は、上記強磁性ボールが上記軌道の最低点に位置する時、上記強磁性ボールが上記入射光ビームを部分的に遮蔽するように構成される。
【００４２】
本発明のある実施の形態によれば、上記入射光ビームの遮蔽率は、上記強磁性ボールが上記軌道の最低点にある時の位置に対応する最小値と、上記強磁性ボールが上記軌道の最低点から最も遠くにある時の位置に対応する最大値と、の間で変化する。ここで、最小値は、例えば、５％〜１０％の範囲内である。
【００４３】
本発明のある実施の形態によれば、上記検出部材は、光検出器、例えば光ダイオードである。
【００４４】
本発明のある実施の形態によれば、上記発光部材は、発光ダイオードである。
【００４５】
本発明のある実施の形態によれば、上記決定装置は、上記反応キュベットの底部に配置されるように構成された強磁性ボールを備える。
【００４６】
本発明のある実施の形態によれば、上記決定装置は、複数の反応キュベットを上記収容筐体内に挿入・排出するように構成されたローディングシステムを備える。このローディングシステムは、好適には、リニアアクチュエータを備える。リニアアクチュエータは、例えば、電動ステッピングモータを備えていてもよい。
【００４７】
本発明は、また、上記本発明による方法を実施するように構成された反応キュベットにも関する。この反応キュベットは、
分析対象である生物流体を入れるように構成された容器であって、
上向きに凹である凹状軌道を規定する底部を有する下側部分であって、前記軌道はそのほぼ中央に最低点を有し、強磁性ボールの揺動運動を案内するように構成されている下側部分と、
挿入口を規定する上側部分と、
上記反応キュベットを第１の掛合方向において第１の隣接する反応キュベットに掛合させるように構成された、第１の掛合手段と、
上記反応キュベットを、上記第１の掛合方向に対してほぼ直交する第２の掛合方向において第２の隣接する反応キュベットに掛合させるように構成された、第２の掛合手段と、を備える容器を有し、
上記反応キュベットは、上記軌道の略延長方向に対して横方向に測定した、上記容器の上記下側部分の幅が、上記軌道の延長方向に対して横方向に測定した上記容器の上記上側部分の幅よりも小さく、前記軌道は、上記容器の上記上側部分の長手方向中央平面に対して横方向にずれていることを特徴とする。
【００４８】
したがって、上記軌道は、上記反応キュベットの第１の長手方向壁に反対側に位置する、上記反応キュベットの第２の長手方向壁よりも、第１の長手方向壁の近くに位置する。
【００４９】
上記反応キュベットがこのような構成を有することにより、凝固時間の測定を、より少ない反応量（例えば９０μＬ未満）で実行することが可能になり、その結果、回収した標本の量ならびに使用済み試薬の量を低減させることが可能になる。これにより、各試験を行う際に要する関連諸コストの大幅な削減が可能になる。
【００５０】
また、磁性体粒子を用いた免疫学的測定に用いる状況では、上記反応キュベットがこのような構成を有することにより、それらの磁性体粒子の洗浄作業時において、磁石または電磁石を（上記反応キュベットの長手方向壁に実質的に接触させ、上記軌道の最も近くに配置することにより）上記反応キュベットの反応領域のできるだけ近くに配置することができる。これにより、それらの磁性体粒子を反応キュベットの長手方向壁に、最適な形で磁力により引き寄せることが可能となり、その結果、定量化すべき検体に結合した磁性体粒子の一部が、洗浄溶液により上記反応キュベットから除去されてしまうリスクを回避することも可能となる。
【００５１】
また、磁性体粒子を用いた免疫学的測定に用いる状況では、上記反応キュベットがこのような構成を有することにより、光学読取部材を上記反応キュベットの反応領域のできるだけ近くに配置することも可能になる。その結果、正確で信頼性の高い測定結果が得られる。
【００５２】
本発明のある実施の形態によれば、上記容器の上記上側部分は、上記挿入口の方向に押し広げ加工が施されている。
【００５３】
本発明のある実施の形態によれば、上記容器の上記下側部分はほぼ直方体状であり、上記軌道の略延長方向に細長い形状を有する。
【００５４】
本発明のある実施の形態によれば、上記第１の掛合手段は、上記容器の上記上側部分の上縁から下向きに延びる、少なくとも１つの掛合タブを備える。
【００５５】
本発明のある実施の形態によれば、上記反応キュベットは、上記掛合タブが延びる上縁とは反対側の、上記容器の上記上側部分上端に形成された切れ込みを有する。反応キュベットの上記掛合タブは、隣接する反応キュベットの切れ込みと第１の掛合方向で連係するように構成される。
【００５６】
本発明のある実施の形態によれば、上記第２の掛合手段は、第１の上向きに開口した掛合部と、第２の下向きに開口した掛合部と、を備える。上記第１の上向きに開口した掛合部は、隣接する反応キュベットの底部において第２の下向きに開口した掛合部と係合するように構成されている。第１および第２の掛合部は、上記掛合タブが延びる上縁の反対側でそれに直交する２つの縁部に沿って、上記反応キュベットの基部上に設けられる。
【００５７】
本発明のある実施の形態によれば、上記軌道は、８〜１０ｍｍの半径を有する円筒形状を有する。
【図面の簡単な説明】
【００５８】
【図１】図１は本発明による反応キュベットの斜視図である。
【図２】図２は図１に示す反応キュベットの斜視断面図である。
【図３】図３は強磁性ボールを備える、図１に示す反応キュベットの縦断面図である。
【図４】図４は強磁性ボールを備える、図１に示す反応キュベットの断面図である。
【図５】図５は反応キュベットを備える、本発明による凝固時間決定装置の斜視図であって、その決定装置のある動作状態を示す図である。
【図６】図６は反応キュベットを備える、本発明による凝固時間決定装置の斜視図であって、その決定装置の別の動作状態を示す図である。
【図７】図７は反応キュベットを備える、本発明による凝固時間決定装置の斜視図であって、その決定装置のさらに別の動作状態を示す図である。
【図８】図８は反応キュベットを備える、本発明による凝固時間決定装置の斜視図であって、その決定装置のさらに別の動作状態を示す図である。
【図９】図９は図５に示す決定装置の磁界発生システムと、この決定装置を備える反応キュベットとの間の相対的配置を示す模式的断面図である。
【図１０】図１０は、図５に示す決定装置の一部縦断面図であって、上記反応キュベットの軌道上に配置された強磁性ボールが占めるある位置を示す図である。
【図１１】図１１は、図５に示す決定装置の一部縦断面図であって、上記反応キュベットの軌道上に配置された強磁性ボールが占める別の位置を示す図である。
【図１２】図１２は、図５に示す決定装置の一部縦断面図であって、上記反応キュベットの軌道上に配置された強磁性ボールが占めるさらに別の位置を示す図である。
【図１３】図１３は、図５に示す決定装置の一部縦断面図であって、上記反応キュベットの軌道上に配置された強磁性ボールが占めるさらに別の位置を示す図である。
【図１４】図１４は、図５に示す決定装置の一部縦断面図であって、上記反応キュベットの軌道上に配置された強磁性ボールが占めるさらに別の位置を示す図である。
【図１５】図１５は、測定信号の振幅が経時的に変化する様子を示す図である。
【図１６】図１６は、上記測定信号の上下包絡線間の差分（amplitude）が経時的に変化する様子を示す図である。
【図１７】図１７は、上記測定信号の上下包絡線間の間隔、およびその測定信号の上下包絡線間の間隔から決定されるベース信号の所定の割合が変化する様子を示す図である。
【図１８】図１８は、上記測定信号の平均上包絡線の振幅が経時的に変化する様子を示す図である。
【発明を実施するための形態】
【００５９】
本発明は、添付する模式的図面を参照しながら述べる以下の詳細な説明を読むことにより、十分に理解可能であろう。なお添付の図面には、本発明による決定装置および反応キュベットの一実施の形態が図示されているが、これらはあくまでも例であり、本発明はそれらの例に限定されるわけではない。
【００６０】
図１〜図４は、光ビームに対して透明なプラスチック材料からなる、一体型反応キュベット２を示す。この反応キュベット２は、例えば血液サンプルのような、分析対象である生物流体を入れるように構成された容器３を備える。容器３は、例えば２２ｍｍの程度の高さを有し、例えば６００μＬ以下の生物流体を分析対象として入れることができる。
【００６１】
容器３は、下側部分４と、下側部分４から延びる上側部分５と、を有する。下側部分４はほぼ直方体状であり、例えば８ｍｍ程度の長さを有し、３ｍｍ程度の幅を有する。下側部分４は、互いに平行な一対の長手方向壁６ａ、６ｂと、互いに平行な一対の横方向壁７ａ、７ｂと、底部８と、を有する。底部８は、上向きに凹である凹状軌道９を規定する。
【００６２】
軌道９は、容器３の下側部分４の長手方向に細長く延びており、そのほぼ中央に最低点を有する。軌道９は、強磁性ボール１１の揺動運動を案内するように構成される。軌道９は、例えば曲線状やほぼＶ字状であってもよく、また図３に示すように、円筒形状部分を有していてもよい。図面に示す実施の形態によれば、軌道９は、容器３の下側部分４の底部８に形成された２本の横方向レール１２、１３により規定される。これら２本の横方向レール１２、１３により、具体的には、反応キュベット２における強磁性ボール１１の揺動運動を案内することが可能になる。
【００６３】
容器３の上側部分５は、底部８の反対側で押し広げられ、挿入口１４を規定する。上側部分５は、例えば、概略円錐台形状を有する。上側部分５は、互いに平行な一対の長手方向壁１５ａ、１５ｂと、それらの長手方向壁１５ａ、１５ｂを結合する一対の横方向壁１６ａ、１６ｂと、を有する。長手方向壁１５ａ、１５ｂおよび横方向壁１６ａ、１６ｂが挿入口１４を規定する。
【００６４】
図面に示された実施の形態では、上側部分５は、さらに長手方向壁６ｂ、１５ｂを接続する接続壁１７を備える。接続壁１７は長手方向壁６ｂ、１５ｂに対して傾斜している。本発明のこの実施の形態によれば、長手方向壁６ａ、１５ａは面一であるが、長手方向壁６ｂ、１５ｂは互いに平行でずれている。
【００６５】
横方向Ｄ１が長手方向壁６ａ、６ｂに直交する方向として規定され、長手方向Ｄ２が横方向壁７ａ、７ｂに直交する方向として規定される。平面Ｐ１が容器３の上側部分５の長手方向中央平面として規定され、平面Ｐ２が容器３の下側部分４の長手方向中央平面として規定され、平面Ｐ３が容器の横方向中央平面Ｐ３として規定される（図３および図４を参照）。
【００６６】
具体的には図２および図４から分かるように、軌道９の略延長方向に対して垂直に（すなわち方向Ｄ１において）測定した、容器３の下側部分４の幅は、軌道９の延長方向に対して垂直に（すなわち方向Ｄ１において）測定した、容器３の上側部分５の幅よりも小さい。
【００６７】
また、容器３の下側部分４、具体的には軌道９は、容器３の上側部分５の長手方向中央平面Ｐ１に対して横方向にずれている。したがって、軌道９は、下側部分４の長手方向壁６ｂよりも長手方向壁６ａの近くに位置する。
【００６８】
図面に示された実施の形態では、反応キュベット２は、挿入口１４の反対側で、長手方向壁６ａの延長方向に延びる第１の終端壁１８と、挿入口１４の反対側で、長手方向壁１５ｂの延長方向に延びる第２の終端壁１９と、をさらに有する。
【００６９】
反応キュベット２は、容器３の上側部分５の長手方向上縁２２から下向きに延びる、掛合タブ２１をさらに備える。反応キュベット２は、長手方向上縁２２とは反対側の、上側部分５の長手方向上端２４に形成された切れ込み２３を有する。切れ込み２３の寸法は、ある反応キュベット２の掛合タブ２１が、隣接する別の反応キュベット２の切れ込み２３と方向Ｄ１に連係することにより、２つの隣接する反応キュベット２同士を掛合させるように、掛合タブ２１の寸法に合わせて調整される。
【００７０】
また、反応キュベット２は、下側部分に基部２５を有する。基部２５には、方向Ｄ１に平行な両対向端部に沿って、第１の上向きに開口する掛合部を形成する第１の突出部２６と、第２の下向きに開口する掛合部を形成する第２の突出部２７と、が形成されている。第１の上向きに開口する掛合部は、方向Ｄ２において隣接する反応キュベット２の下向きに開口する掛合部と係合し、それら２つの反応キュベット２を掛合させるように構成される。
【００７１】
これら掛合タブ２１ならびに第１および第２の掛合部２６、２７の構造により、複数の反応キュベット２を２つの互いに直交する方向に、手動によるか、または自動的に掛合させ、複数の板を形成することが可能になる。また、これらの掛合部２６、２７を用いることにより、その上側部分５および下側部分４において実質的に同じである、複数の反応キュベット２をあらゆる寸法に結合し、それらの反応キュベット２が組み合わされた時に、一枚の平板を構成するようにできる。これにより、それらの反応キュベット２を簡単で省スペースなやり方で収納できるように配置するとともに、またそれらの反応キュベット２を対応する板から容易に除去可能とすることもできる。
【００７２】
図５〜１３は、分析対象である血液サンプルの凝固時間を決定するように構成された決定装置３１を示す。
【００７３】
この決定装置３１は、分析対象である血液サンプル３３と、軌道９上に配置された強磁性ボール１１とを含む反応キュベット２を収容するように構成された収容筐体３２を備える。
【００７４】
この決定装置３１は、また、反応キュベット２が収容筐体３２内に収容された時に、強磁性ボール１１を軌道９に沿って揺動運動により変位させることが可能な磁界を発生するように構成された、磁界発生システム３４を備える。磁界発生システム３４により発生された磁界の励起周波数は、好適には、強磁性ボール１１の揺動運動の固有振動数に近く、例えば、３．１２５Ｈｚ程度（３２０ｍｓ程度の周期で）である。
【００７５】
決定装置３１は、反応キュベット２が収容筐体３２内に収容された時に、磁界発生システム３４が、軌道９の略延長方向に対して横方向にずらして配置されるように構成される。具体的には、決定装置３１は、反応キュベット２が収容筐体３２に収容された時に、磁界発生システム３４が、容器３の長手方向壁（例えば長手方向壁６ｂ）に少なくとも部分的に面して配置されるように構成される。
【００７６】
磁界発生システム３４は、好適には、反応キュベット２が収容筐体３２内に収容された時に、軌道９の端部近傍であって、軌道９に対して同じ側にそれぞれ配置される２つの電磁石３４ａ、３４ｂを備える。磁界発生システム３４により発生される磁界は、好適には例えば電磁石３４ａ、３４ｂのコイルに印加される電気パルスの間隔および／または幅（length）を変化させることにより、調整され得る。
【００７７】
決定装置３１は、反応キュベット２が収容筐体３２内に収容される時に、分析対象である血液サンプル３３の方向に入射光ビーム３６を出射するように構成された発光部材３５をさらに有する。発光部材３５は、例えば発光ダイオードであり得る。
【００７８】
添付する図面に図示された実施の形態によれば、決定装置３１は、反応キュベット２が収容筐体３２に収容され、強磁性ボール１１が軌道９の最低点に位置する時、強磁性ボール１１が入射光ビーム３６を部分的に遮蔽するように構成される（図１０および図１２参照）。
【００７９】
本発明のある実施の形態によれば、入射光ビーム３６の遮蔽率は、強磁性ボール１１が軌道９の最低点にある時の位置に対応する最小値（図１０および図１２参照）と、強磁性ボール１１が軌道９の最低点から最も遠くにある時の位置に対応する最大値（図１１および図１３参照）と、の間で変化する。ここで、最小値は、例えば、５％から１０％の範囲内である。
【００８０】
決定装置３１は、さらに、反応キュベット２を透過し、入射光ビーム３６から生じた、少なくとも１つの光ビーム３８を検出することにより、計測信号ＳＭを出力するように構成された検出部材３７を備える。図１５は、測定信号ＳＭの一例の振幅が経時的に変化する様子を示し、具体的には、測定信号ＳＭの一例の相対光強度が経時的に変化する様子を示す図である。
【００８１】
検出部材３７は、光検出器、例えば光ダイオードであり得る。図面に示された実施の形態では、検出部材３７は、入射光ビーム３６のほぼ軸上に位置する。したがって、図面に示された実施の形態では、発光部材および検出部材は、反応キュベット２が収容筐体３２内に収容された際に、軌道９の端部のいずれか一方の側に位置する。
【００８２】
本発明のある実施の形態によれば、測定信号ＳＭは、連続する信号を一定の間隔でサンプリングすることにより得られる。その一定の間隔（すなわち２つのサンプリング時刻間の間隔）の長さは例えば１０ｍｓ程度である。
【００８３】
決定装置３１は、処理ユニット３９をさらに備える。具体的には図５に示すように、処理ユニット３９は、収容筐体３２の近傍に配置されてもよいが、計測領域からある距離だけ離れた位置に配置されてもよい。
【００８４】
処理ユニット３９は、具体的には、
計測信号ＳＭに対して第１の処理を行うことにより、強磁性ボール１１の運動を表現する少なくとも１つの物理量の変化を表す第１の信号Ｓ１を得（強磁性ボール１１の運動を表現する少なくとも１つの物理量とは、例えば、強磁性ボール１１の運動の振幅および／または周波数である）、
計測信号ＳＭに対して第２の処理を行うことにより、分析対象である血液サンプル３３の少なくとも１つの光学特性の変化を表す第２の信号Ｓ２を得（分析対象である血液サンプル３３の少なくとも１つの光学特性とは、例えば、分析対象である血液サンプル３３の吸光度である）、
第１の信号Ｓ１に基づいて、分析対象である血液サンプルの凝固時間を表す第１の値ｔ１を決定し、かつ
第２の信号Ｓ２に基づいて、分析対象である血液サンプルの凝固時間を表す第２の値ｔ２を決定する、ように構成される。
【００８５】
本発明のある実施の形態によれば、処理ユニット３９は、得られた第１の信号Ｓ１が計測信号ＳＭの上包絡線と下包絡線との間の間隔に対応するように構成される。測定信号の上包絡線は、測定信号ＳＭの極大値同士を結ぶことにより決定され、測定信号の下包絡線は、測定信号ＳＭの極小値同士を結ぶことにより決定される。図１６は、上下包絡線ＥＢ、ＥＨ間の差分（amplitude）が経時的に変化する様子を示し、具体的には上下包絡線ＥＢ、ＥＨの相対光強度が経時的に変化する様子を示す。
【００８６】
本発明の別の実施の形態によれば、処理ユニット３９は、得られた第１の信号Ｓ１が計測信号ＳＭの上下包絡線間の間隔のスライド平均に対応するように構成される。より正確にいうと、連続する複数の計測時刻、またはサンプリング時刻に対応する、計測信号ＳＭの上包絡線および下包絡線間の間隔を表す、複数の値（例えば１２個の値）からなる所定の集合において、計測信号ＳＭの上下包絡線間の間隔のスライド平均に対応するように構成される。好ましくは、ある与えられた測定時刻またはサンプリング時刻に対する第１の信号Ｓ１のそれぞれの値は、測定信号ＳＭの上包絡線および下包絡線間の間隔を表す、複数の最近値のスライド平均として決定される。例えば、測定信号ＳＭの上包絡線および下包絡線間の間隔を表す、１２個の最近値のスライド平均として決定される。
【００８７】
本発明のある実施の形態によれば、処理ユニット３９は、所定のスライド期間に亘る第１の信号Ｓ１のスライド平均に対応するベース信号を得るように構成される。より具体的には、ある与えられた測定時刻またはサンプリング時刻に対するベース信号のそれぞれの値は、ある時間間隔に含まれる複数の測定時刻またはサンプリング時刻に対応する、第１の信号Ｓ１の複数の値からなる集合のスライド平均として決定される。ここで、上記ある時間間隔の始点および終点は、与えられた測定時刻またはサンプリング時刻に対して規定される。その時間間隔は、例えば１０秒間であり、ベース信号のそれぞれの値について、与えられた複数の測定時刻またはサンプリング時刻に先行する。
【００８８】
上記決定方法の別の実施の形態によれば、ある与えられた測定時刻またはサンプリング時刻に対するベース信号のそれぞれの値は、与えられた複数の測定時刻またはサンプリング時刻における第１の信号Ｓ１の値を含み、かつ与えられた複数の測定時刻またはサンプリング時刻に先行する複数の測定時刻またはサンプリング時刻に対応する第１の信号Ｓ１のすべての値を含む、複数の値からなる集合のスライド平均として決定される。本発明のある実施の形態によれば、処理ユニット３９は、第１の信号Ｓ１と、ベース信号の所定の割合に対応する第３の信号Ｓ３との間の交点Ｐｉを決定するように構成される。処理ユニット３９により決定された、分析対象である血液サンプルの凝固時間を表す第１の値ｔ１は、決定された交点Ｐｉに対応する時刻である。本発明のある実施の形態によれば、第３の信号は、ベース信号の３０％から６０％の範囲内である。図１７は、第１および第３の信号Ｓ１、Ｓ３間の差分（amplitude）が経時的に変化する様子を示し、具体的には、第１および第３の信号Ｓ１、Ｓ３の相対光強度が経時的に変化する様子を示す。なお、ベース信号の所定の割合は、実行すべき試験に依存してプログラム可能であり、例えば、使用した反応キュベットの反応量に依存してプログラム可能である。
【００８９】
本発明のある実施の形態によれば、処理ユニット３９は、得られた第２の信号Ｓ２が計測信号ＳＭの平均上包絡線に対応するように構成される。例えば、処理ユニット３９は得られた第２の信号Ｓ２が計測信号の上包絡線のスライド平均に対応するように構成され、より正確には、連続する複数の計測時刻またはサンプリング時刻に対応する、上包絡線の複数の値（例えば１２個の値）からなる所定の集合において、計測信号の上包絡線のスライド平均に対応するように構成される。好ましくは、ある与えられた測定時刻またはサンプリング時刻に対する第２の信号Ｓ２のそれぞれの値は、上包絡線の複数の最近値のスライド平均として決定される。例えば、上包絡線の１２個の最近値のスライド平均として決定される。
【００９０】
図１８は、平均上包絡線の振幅が経時的に変化する様子を示し、具体的には、平均上包絡線の相対光強度が経時的に変化する様子を示す図である。
【００９１】
本発明のある実施の形態によれば、処理ユニット３９は、第２の信号Ｓ２の最大勾配Ｐｍを決定するように構成され、処理ユニット３９により決定される、分析対象である血液サンプルの凝固時間を表す第２の値ｔ２は、当該最大勾配に対応する時刻である。
【００９２】
本発明のある実施の形態によれば、決定装置３１は、上記入射光ビームの光路上に配置され、その入射光ビーム３６を平行光にするように構成された光学レンズ４１を備える。
【００９３】
決定装置３１は、複数の反応キュベット２を上記収容筐体内に挿入・排出するように構成されたローディングシステム４２をさらに備える。ローディングシステム４２は、好適には、リニアアクチュエータを備える。リニアアクチュエータは、例えば、電動ステッピングモータのような電動モータ４３を備えていてもよい。
【００９４】
決定装置３１は、好適には、第１および第２の筐体部分３２ａおよび３２ｂをそれぞれ規定する第１および第２の部材または本体部４４ａ、４４ｂをさらに備える。第１および第２の部材４４ａ、４４ｂは、挿入位置と排出位置との間で互いに移動可能なように配置される（図５参照）。ここで、第１および第２の部材４４ａ、４４ｂは、互いに間隔を隔てて配置されており、第１および第２の筐体部３２ａ、３２ｂに面し、第１および第２の部材４４ａ、４４ｂの測定位置が互いに近接し、収容筐体３２を規定するまで、反応キュベット２の変位を許容する。
【００９５】
以下、分析対象である血液サンプルの凝固時間を、決定装置３１を用いて決定する方法について説明する。
【００９６】
このような決定方法は、
分析対象である血液サンプル３３を入れる反応キュベット２を用意する工程と、
反応キュベット２の軌道９上に強磁性ボール１１を配置する工程と、
反応キュベット２を、決定装置３１の収容筐体３２内に配置する工程と、
磁界発生システム３４を用いて磁界を発生させることにより、強磁性ボール１１を軌道９に沿って揺動運動により変位させる工程であって、磁界は、２つの電磁石３４ａ、３４ｂのコイルに対して順次電流を流すことにより発生される、工程と、
発光部材３６を用いて、分析対象である血液サンプル３３へと入射光ビーム３５を出射する工程と、
反応キュベット２を透過し、入射光ビーム３６から生じた、光ビーム３８を検出部材３７を用いて例えば２０ｍｓ毎に検出することにより、計測信号ＳＭを得る工程と、
処理ユニット３９を用いて計測信号ＳＭに対して第１の処理を行うことにより、強磁性ボール１１の運動の特に振幅の変化を表す第１の信号Ｓ１を得る工程と、
処理ユニット３９を用いて、計測信号ＳＭに対して第２の処理を行うことにより、分析対象である血液サンプル３３の特に吸光度の変化を表す第２の信号Ｓ２を得る工程と、
処理ユニット３９を用いて、第１の信号Ｓ１に基づいて、分析対象である血液サンプルの凝固時間を表す第１の値ｔ１を決定する工程と、
処理ユニット３９を用いて、第２の信号Ｓ２に基づいて、分析対象である血液サンプルの凝固時間を表す第２の値ｔ２を決定する工程と、
凝固時間を表す決定された第１および第２の値ｔ１、ｔ２を比較する工程と、
を有する。
【００９７】
上記決定方法のある実施の形態によれば、この決定方法は、軌道９のほぼ最低点にあるときの強磁性ボール１１の位置に対応する、計測信号ＳＭの初期値に依存して、入射光ビーム３６の光強度を調整する（より正確にはサーボ制御する）工程をさらに有する。この構成により、分析対象である血液サンプルの初期吸光度に基づいて、入射光ビーム３６の光強度をサーボ制御することが可能になる。例えば、分析対象である血液サンプルが初期段階において非常に吸光度が高い場合や、あるいはその逆の場合、具体的にはできるだけ高い参照信号を得ることにより、飽和のリスクを避けるために、入射光ビーム３６の光強度を増加させることができる。
【００９８】
上記決定方法のある実施の形態によれば、上記決定方法は、上記決定方法の初期段階において（例えば強磁性ボールの運動開始から１〜２秒間程度の間）、強磁性ボール１１に印加される磁界を表す少なくとも１つのパラメータを計測信号ＳＭの初期値に依存して（より具体的には第１の信号Ｓ１の初期値に依存して）調整する（より正確には、サーボ制御する）工程をさらに有する。上記磁界を表現する上記少なくとも１つのパラメータは、例えば磁界発生システム３４により発生される磁界の周期および／または強度であり得る。このような構成により、強磁性ボール１１の揺動を、分析対象である血液サンプル３３の初期粘性に基づいて最適化することが可能になる。その結果、強磁性ボール１１が反応キュベット２の壁に衝突することによる衝撃を避けることが可能になり、また逆に、強磁性ボール１１の最大振幅が不十分である事態を避けることも可能になる。
【００９９】
図１４は、本発明の第２の実施の形態による決定装置３１を示す。この決定装置３１は図５〜１３に示す決定装置とは本質的に異なり、ローディングシステム４２および収容筐体３２が、互いに接続された複数の反応キュベット２’を含む集合体またはブロックをそれぞれ挿入し、かつ収容するように構成されている。そのような集合体またはブロックに含まれる、異なる複数の反応キュベット２’は、例えば、プラスチック材料から１つの部品として成形される。これらの反応キュベット２’は、好適には、その長手方向壁が互いに平行になるように、互いに隣接して配置される。またこれらの反応キュベット２’は、例えば、横方向接続部４５ａ、４５ｂによりその上側部分において互いに接続される。
【０１００】
なお当然ながら、本発明は、あくまで一例を挙げる目的で上に述べた決定装置や反応キュベットの実施の形態のみに限定されるものではなく、本発明の範囲はむしろそのあらゆる変形例にも及ぶものである。
【図１】
0006696985.tif 000002
【図２】
0006696985.tif 000003
【図３】
0006696985.tif 000004
【図４】
0006696985.tif 000005
【図５】
0006696985.tif 000006
【図６】
0006696985.tif 000007
【図７】
0006696985.tif 000008
【図８】
0006696985.tif 000009
【図９】
0006696985.tif 000010
【図１０】
0006696985.tif 000011
【図１１】
0006696985.tif 000012
【図１２】
0006696985.tif 000013
【図１３】
0006696985.tif 000014
【図１４】
0006696985.tif 000015
【図１５】
0006696985.tif 000016
【図１６】
0006696985.tif 000017
【図１７】
0006696985.tif 000018
【図１８】
0006696985.tif 000019